(57)【要約】      （修正有） 【課題】在宅自己注射が必要な患者が、緊急時に確実に取り出して使用することが可能な注射器収納用小型バッグを提供する。【解決手段】自己注射薬を射出する注射器を収納する注射器収納用小型バッグであって、注射器を出し入れする主開口部１２と、バッグ本体内に収納された注射器の端部相当位置に設けられ、注射器をバッグ本体から取り出しうる副開口部１４が設けられている。【選択図】図１
0003208602.tif 000002
【実用新案登録請求の範囲】
【請求項１】
自己注射薬を射出する注射器を収納する注射器収納用小型バッグであって、前記注射器を出し入れする主開口部と、バッグ本体内に収納された前記注射器の端部相当位置に設けられ、前記注射器をバッグ本体から取り出しうる副開口部とを有することを特徴とする注射器収納用小型バッグ。
【請求項２】
前記バッグ本体は、前記注射器を収納し得る大きさのポーチとして形成され、
一対の側板部を備え、前記主開口部は前記一対の側板部の間においてファスナーを備えて形成される一方、前記副開口部は一方の前記側板部に設けられていることを特徴とする請求項１記載の注射器収納用小型バッグ。
【請求項３】
前記側板部は略長方形状に形成されると共に、前記副開口部は、前記側板部の長さ方向一端部において、幅方向に沿って形成されたスリットと、前記スリットを開閉可能に被覆するフラップ部と、前記フラップ部及び前記スリットの周辺部に設けられた両面ファスナーとを有することを特徴とする請求項２記載の注射器収納用小型バッグ。
【請求項４】
前記注射器は、前記注射器を取り出し可能な状態で収納しうるポケット部材に収納された状態で前記バッグ本体に収納されていることを特徴とする請求項２記載の注射器収納用小型バッグ。
【請求項５】
前記バッグ本体内には、内側面部に前記注射器を前記バッグ本体内において固定し得る固定部が設けられていることを特徴とする請求項２記載の注射器収納用小型バッグ。
【請求項６】
前記バッグ本体内には、使用者の氏名、住所、保護者、連絡先、アレルギー症状等のデータを記載した用紙の収納部が設けられていることを特徴とする請求項１記載の注射器収納用小型バッグ。
【考案の詳細な説明】
【技術分野】
【０００１】
本考案は、注射器収納用小型バッグの改良に関する。
【背景技術】
【０００２】
現在、アレルギー患者の方々は、食物等のアレルギーによる症状であるアナフィラキシーショックを発症した場合に、医師の治療を受けるまでの間の対処として、症状の進行を一時的に緩和しショックを防ぐための補助治療薬であるアドレナリン自己注射薬を注射器に入れて携帯している。また、糖尿病などの患者の方々もインスリン製剤などの自己注射薬を注射器に入れて携帯している。
【０００３】
従来より、このような自己注射薬が収納された注射器を収納して持ち歩くことができるように注射器収納用小型バッグが販売されている。このような従来の注射器収納用小型バッグは、一般に、注射器を収納しうる大きさのポーチとして形成され、線ファスナー付きの開口部を開閉することにより、注射器を収納すると共に必要時には注射器を取り出して使用していた。
【０００４】
しかしながら、このような従来の注射器収納用小型バッグにあっては、例えば、患者の発作時に患者が至急取り出そうとした時に、線ファスナーが引っ掛かったような場合には、注射器収納用小型バッグから注射器を迅速に取り出すことができず、緊急の発作の事態に有効に対応することができない、という不具合があり、従来より、在宅自己注射が必要な患者が、緊急時に確実に取り出して使用することが可能な注射器収納用小型バッグが要請されていた。
【０００５】
本件出願人はこのような観点から従来の公報を調査し、下記の文献を発見した（特許文献１）。しかしながら、本文献は関連性のない文献であることが判明している。
【先行技術文献】
【特許文献】
【０００６】
【特許文献１】特開２００８―６７９１０号公報
【考案の概要】
【考案が解決しようとする課題】
【０００７】
本考案はこのような従来からの不具合を解決するためのものであって、その課題は、在宅自己注射が必要な患者が、緊急時に確実に取り出して使用することが可能な注射器収納用小型バッグを提供することにある。
【課題を解決するための手段】
【０００８】
上記課題達成のため、請求項１記載の考案にあっては、自己注射薬を射出する注射器を収納する注射器収納用小型バッグであって、前記注射器を出し入れする主開口部と、バッグ本体内に収納された前記注射器の端部相当位置に設けられ、前記注射器をバッグ本体から取り出しうる副開口部とを有することを特徴とする。従って、請求項１記載の考案にあっては、前記副開口部からも前記注射器を取り出すことができる。
【０００９】
請求項２記載の考案にあっては、前記バッグ本体は、前記注射器を収納し得る大きさのポーチとして形成され、一対の側板部を備え、前記主開口部は、一対の側板部の間においてファスナーを備えて形成される一方、前記副開口部は一方の前記側板部に設けられていることを特徴とする。従って、請求項２記載の考案にあっては、前記注射器は前記側板部の副開口部からも取り出すことができる。
【００１０】
請求項３記載の考案にあっては、前記側板部は略長方形状に形成されると共に、前記副開口部は、前記側面部の長さ方向一端部において、幅方向に沿って形成されたスリットと、前記スリットを開閉可能に被覆するフラップ部と、前記フラップ部及び前記スリットの周辺部に設けられた両面ファスナーとを有することを特徴とする。
従って、請求項３記載の考案にあっては、前記フラップ部を両面ファスナーの係合を解除して開くことにより、前記スリットから内部に収納された注射器を取り出すことができる。
【００１１】
請求項４記載の考案にあっては、前記注射器は、前記注射器を取り出し可能な状態で収納しうるポケット部材に収納された状態で前記バッグ本体に収納されていることを特徴とする。
【００１２】
請求項５記載の考案にあっては、前記バッグ本体内には、内側面部に前記注射器を前記バッグ本体内において固定し得る固定部が設けられていることを特徴とする。
【００１３】
請求項６記載の考案にあっては、前記バッグ本体内には、使用者の氏名、住所、保護者、連絡先、アレルギー症状等のデータを記載した用紙の収納部が設けられていることを特徴とする。
【考案の効果】
【００１４】
請求項１記載の考案にあっては、自己注射薬を射出する注射器を収納する注射器収納用小型バッグであって、前記注射器を出し入れする主開口部と、バッグ本体内に収納された前記注射器の端部位置に設けられ、前記注射器をバッグ本体から取り出しうる副開口部とを有していることから、副開口部から前記注射器を取り出すことができるため、患者の発作時に患者が至急取り出そうとした時に、線ファスナーが引っ掛かって主開口部が開放できないような場合であっても、副開口部から注射器を迅速に取り出すことができるため、在宅自己注射が必要な患者が、緊急時に確実に取り出して使用することが可能な注射器収納用小型バッグを提供することができる。
【００１５】
請求項２記載の考案にあっては、請求項１記載の考案に効果に加えて、前記バッグ本体は、前記注射器を収納し得る大きさのポーチとして形成され、一対の側板部を備え、前記主開口部は、一対の側板部の間においてファスナーを備えて形成される一方、前記副開口部は一方の前記側板部に設けられ、前記注射器は前記側板部の副開口部から取り出すことができるように構成されていることから持ち運びが容易であり、外出時にも手持ちのバッグ等の中にも容易に収納して搬送することが可能となる。その結果、外出時においても発作の発生時等の緊急事態に有効に対処することができる。
【００１６】
請求項３記載の考案にあっては、前記側板部は略長方形状に形成されると共に、前記副開口部は、前記側面部の長さ方向一端部において、幅方向に沿って形成されたスリットと、前記スリットを開閉可能に被覆するフラップ部と、前記フラップ部及び前記スリットの周辺部に設けられた両面ファスナーとを有し、前記フラップ部を両面ファスナーの係合を解除して開くことにより、前記スリットから内部に収納された注射器を取り出すことができる。
【００１７】
従って、請求項３記載の考案にあっては、フラップ部を、両面ファスナーの係合を解除してスリット部を開放し、スリット部から注射器の端部を把持し、注射器をバッグ本体から取り出して使用することが可能となることから、仮に、主開口部に何らかの障害があり、主開口部が開けない場合であっても、前記副開口部から迅速に注射器を取り出すことができる。
【００１８】
請求項４記載の考案にあっては、請求項１記載の効果に加えて、前記注射器は、前記注射器を取り出し可能な状態で収納しうるポケット部材に収納された状態で前記バッグ本体に収納されていることから、バッグ本体内において注射器をより安全に保持収納することが可能となる。
【００１９】
請求項５記載の考案にあっては、請求項１記載の効果に加えて、前記バッグ本体内には、内側面部に前記注射器を前記バッグ本体内において固定し得る固定部が設けられていることから、バッグ本体内において注射器をより安全に保持収納することが可能となる。
【００２０】
請求項６記載の考案にあっては、前記バッグ本体内には、使用者の氏名、住所、保護者、連絡先、アレルギー症状等のデータを記載した用紙の収納部が設けられていることから、請求項１記載の効果に加えて、緊急時には、使用者である患者のデータを第三者に示すことができ、使用者である患者の安全性を十分に確保することが可能となる。
【図面の簡単な説明】
【００２１】
【図１】本考案に係る注射器収納用小型バッグの第一の実施の形態を示す斜視図である。
【図２】本考案に係る注射器収納用小型バッグの第一の実施の形態を示す斜視図であって、収納部内を示す斜視図である。
【図３】本考案に係る注射器収納用小型バッグの第一の実施の形態を示す斜視図であって、副開口部の構成を示す斜視図である。
【図４】本考案に係る注射器収納用小型バッグの第一の実施の形態を示す斜視図であって、注射器を収納するポケット部材を示す斜視図である。
【図５】本考案に係る注射器収納用小型バッグの第二の実施の形態を示す斜視図である。
【図６】本考案に係る注射器収納用小型バッグの第二の実施の形態を示す斜視図であって、注射器を収納した状態の内部を示す図である。
【図７】本考案に係る注射器収納用小型バッグの第二の実施の形態を示す斜視図であって、副開口部の構成を示す斜視図である。
【考案を実施するための形態】
【００２２】
以下、添付図面に示す実施の形態に基づき、本考案を詳細に説明する。
図１及び図４に示すように、本実施の形態に係る注射器収納用小型バッグ１０は、自己注射薬を射出する注射器１１を収納できるように構成され、注射器１１を出し入れする主開口部１２と、バッグ本体１３内に収納された注射器１１の先端部相当位置に設けられ、注射器１１をバッグ本体１３から取り出しうる副開口部１４が設けられている。
【００２３】
本実施の形態にあっては、バッグ本体１３は、注射器１１を収納し得る大きさの幅寸法及び長さ寸法を有する布製の薄型のポーチとして形成され、一対の側面略長方形状の側片部１５、１６を備えている。バッグ本体１３は、長さ寸法は注射器１１の長さ寸法の約１．４倍であると共に、幅寸法は注射器１１の幅寸法の約３倍に形成されている。
バッグ本体１１を構成する側片部１５、１６の素材は、本実施の形態にあっては、収納される注射器１１の自己注射液の温度維持を図るために３層構造とされている。側片部１５、１６は幅方向一端部及び長さ方向両端部が互いに縫合され、残余の幅方向端部側面部は開放されて主開口部１２として形成されている。
【００２４】
図２に示すように、主開口部１２は、一対の側片部１５、１６の間において線ファスナー１７を備えている。そして、本実施の形態にあっては、一方の側片部１５の長さ方向端部に副開口部１４が設けられている。
副開口部１４は、注射器１１をバッグ本体１３の内部に収納する場合、注射器１１の下端部をバッグ本体１３の内方下端部２１に当接させた状態で収納した場合に、側片部１５において注射器１１の先端部が位置する部位よりもやや長さ方向端部寄りとなる部位に開設されている。
副開口部１４は、側片部１５の長さ方向一端部において、幅方向に沿って形成されたスリット１９と、スリット１９を開閉可能に被覆するフラップ部２０と、フラップ部２０及びスリット１９の周辺部に設けられた両面ファスナー２１とを有している。
【００２５】
即ち、図３に示すように、スリット１９は側片部１５の幅方向略全域に亘って直線状に形成され、スリット１９の長さ方向端部側にはスリット１９を全面的に被覆し得るフラップ部２０が設けられている。フラップ部２０は側片部１５と同一の素材により長方形状に形成され、裏面側には両面ファスナー２１の一方部２１ａが配設されていると共に、スリット１９の長さ方向反端部側には両面ファスナー２１の他方部２１ｂが設けられている。フラップ部２０には下端部にノブ２６が設けられており、ノブ２６を利用してフラップ部２０を開放し得るように構成されている。
また、本実施の形態にあっては、持ち運びに便利なように、ベルト１８が側片部１５及び側片部１６にまたがって、金具２８を介して着脱可能に取り付けられている。
【００２６】
また、本実施の形態にあっては、注射器１１は、注射器１１を取り出し可能な状態で収納しうるポケット部材２２に収納された状態で前記バッグ本体１１に収納されている。ポケット部材２２は、全体略長方形状に形成され、バッグ本体部１３の収納部内に収納可能な大きさに形成された基材部２３と、基材部２３の長さ方向の約３／４を下端部側から被覆する被覆部２４とからなり、被覆部２４によりポケット部２５が形成されている。従って、このポケット部２５に注射器１１を収納した状態でポケット部材２２ごとバッグ本体１３内に収納されている。この場合、注射器１１は先端部側の約１／３が露出した状態となる。
【００２７】
さらに、ポケット部材２２の被覆部２４の表面部には、使用者の氏名、住所、保護者、連絡先、アレルギー症状等のデータを記載した用紙である「緊急連絡カード」２９の収納部３０が設けられている。また、図１及び図４に示すように、側片部１５には赤十字ワッペン４０が取り付けられており、内部に医療用品が収納されていることが第三者にも判明できるようになっている。
【００２８】
本実施の形態に係る注射器収納用小型バッグ１０を使用する場合には、ポケット部材２２に注射器１１を収納し、下端部をバッグ本体１３の内方下端部２１に当接させた状態で配置して収納する。この状態で、注射器１１の先端部は図３に示すスリット１９のやや下方に位置するように配設される。
【００２９】
従って、患者である使用者が、発作等の事情により注射器１１を使用する必要が生じた場合には、通常は、主開口部１２の線ファスナー１７を開き、内部からポケット部材２２に収納された注射器１１を、ポケット部材２２ごとバッグ本体１３の幅方向に取り出し、ポケット部材２２から取り出して使用する。
【００３０】
一方、線ファスナー１７が何らかの事情により故障して主開口部１２を開放することができない場合には、図３に示すように、副開口部１４のフラップ部２０をノブ２６を利用してバッグ本体１１の先端部２７側へ開き、スリット１９を露出させ、スリット１９から指を入れて、やや下方に配置されている注射器１１の先端部を把持し、バッグ本体１３の長さ方向に沿って引き出す。これにより、主開口部１２が開放できない場合であっても、迅速に内部に収納された注射器１１を、ポケット部材２２及びバッグ本体１３から直接に取り出して使用することが可能となる。
【００３１】
図５〜図７は本考案に係る注射器収納用小型バッグの第二の実施の形態を示す。本実施の形態に係る注射器収納用小型バッグ３１の説明にあたっては、前記第一実施の形態に係る注射器収納用小型バッグ１０と異なる構成のみを説明する。
本実施の形態に係る注射器収納用小型バッグ３１は、前記実施の形態に係る注射器収納用小型バッグ１０とは異なり、バッグ本体３２は、一対の側片部３３、３４と、側片部３３、３４の間に連設されたマチ部３５とを有し、前記実施の形態に係る注射器収納用小型バッグ１０よりも厚さ寸法の大きなポーチとして形成されている。
【００３２】
主開口部３６は、マチ部３５に設けられており、線ファスナー３７により開閉可能に形成されていることは前記実施の形態の場合と同様である。また、図６に示すように、内部には一方の側片部３４の内側面部に注射器１１の固定部３８が設けられている。固定部３８は、太幅の長方形状のベルト３９により形成されており、ベルト３９の中間部において内側面部に縫合固定されると共に、両端部には夫々、両面ファスナー（図示せず）が配設され、相互に係合させることにより、内部に注射器１１を固定した状態で収納できるように構成されている。
【００３３】
副開口部１４の構成は、前記実施の形態の場合と同様であり、注射器１１をバッグ本体３２の内部に収納する場合、注射器１１の下端部をバッグ本体１３の内方下端部２１に当接させた状態で収納した場合に、側片部１５の注射器１１の先端部が位置する部位よりもやや長さ方向端部よりの部位に開設されている点も同様である。
図６及び図７に示すように、副開口部１４は、側片部１５の長さ方向一端部において、幅方向に沿って形成されたスリット１９と、スリット１９を開閉可能に被覆するフラップ部２０と、フラップ部２０及びスリット１９の周辺部に設けられた両面ファスナー２１とを有している。
また、図６に示すように、マチ部３５の内側面部には使用者の氏名、住所、保護者、連絡先、アレルギー症状等のデータを記載した用紙である「緊急連絡カード」２９の収納部３０が設けられている。また、図５及び図７に示すように、側片部１５には赤十字ワッペン４０が取り付けられており、内部に医療用品が収納されていることが第三者にも判明できるようになっている。
【００３４】
従って、本実施の形態に係る注射器収納用小型バッグ３１を使用する場合にも、前記実施の形態の場合と同様に、使用時には、主開口部３６の線ファスナー３７を使用して主開口部３６を開放し、固定部３８に固定されて収納された注射器１１を、固定部３８のベルト３６の面ファスナー３７、３７の係合を解除して注射器１１を、バッグ本体３８の幅方向に取り出す。
一方、線ファスナー３７が事情により作動できず、主開口部３６を開放することができない場合には、副開口部１４を、前記実施の形態の場合と同様の手法により開放して、注射器１１を長さ方向に沿ってスリット１９を介して取り出す。この場合には、固定部３８の面ファスナーを解除する必要がないことから、主開口部３６型取り出す場合よりも、より迅速に取り出すことが可能となる。
【産業上の利用可能性】
【００３５】
本考案は注射器収納用小型バッグに適用することができることから、産業上の利用可能性を有している。
【符号の説明】
【００３６】
１０  注射器収納用小型バッグ
１１  注射器
１２  主開口部
１３  バッグ本体
１４  副開口部
１５  側片部
１６  側片部
１７  線ファスナー
１８  ベルト
１９  スリット
２０  フラップ部
２１  両面ファスナー
２１ａ  一方部
２１ｂ  他方部
２２  ポケット部材
２３  基材部
２４  被覆部
２５  ポケット部
２６  ノブ
２７  先端部
２８  金具
２９  緊急連絡カード
３０  収納部
３１  注射器収納用小型バッグ
３２  バッグ本体
３３  側片部
３４  側片部
３５  マチ部
３６  主開口部
３７  線ファスナー
３８  固定部
３９  ベルト
４０  赤十字ワッペン
【図１】
0003208602.tif 000003
【図２】
0003208602.tif 000004
【図３】
0003208602.tif 000005
【図４】
0003208602.tif 000006
【図５】
0003208602.tif 000007
【図６】
0003208602.tif 000008
【図７】
0003208602.tif 000009